(57)【要約】【課題】  使用者が長時間座っていても正しい姿勢を維持し、腰等への負担が軽減できて姿勢矯正に役立つ椅子用姿勢矯正補助マットの改良【解決手段】  前後方向に８〜１５度の傾斜角度を付けた三角形状の、硬質プラスチックフォーム表面層３と板材中間層４と軟質又は半硬質プラスチックフォーム裏面層５’とから構成され、全体をカバーシート２でカバーした椅子用姿勢矯正補助マット【選択図】図１
0003123499.tif 000002
【実用新案登録請求の範囲】
【請求項１】
前後方向に８〜１５度の傾斜角度を付けた三角形状の、硬質プラスチックフォーム表面層と板材中間層と軟質又は半硬質プラスチックフォーム裏面層とから構成され、全体をカバーシートでカバーしたことを特徴とする、椅子用姿勢矯正補助マット。
【請求項２】
該硬質プラスチックフォーム表面層上に更に軟質又は半硬質プラスチックフォーム層を設けたことを特徴とする、請求項１記載の椅子用姿勢矯正補助マット。
【請求項３】
板材基部層、硬質プラスチックフォーム中間層、軟質又は半硬質プラスチックフォーム表面層から構成され全体をカバーシートでカバーした表層部品Ａと、軟質又は半硬質プラスチックフォーム層上に板材層を設けて全体をカバーシートでカバーした前後方向に一定の傾斜角度を付けた三角形状の基部部品Ｂとを接合してなり、併せて前後方向に８〜１５度の傾斜角度を付けたことを特徴とする、椅子用姿勢矯正補助マット。
【請求項４】
各種該プラスチックフォームの代わりに低反発プラスチックフォームを使用することを特徴とする、請求項１〜３のいずれかに記載の椅子用姿勢矯正補助マット。
【請求項５】
該プラスチックフォームがポリウレタンフォームであることを特徴とする、請求項１〜４のいずれかに記載の椅子用姿勢矯正補助マット。
【請求項６】
該カバーシートがビニルシート、合成皮革又は本皮革、布地のいずれかであることを特徴とする、請求項１〜５のいずれかに記載の椅子用姿勢矯正補助マット。
【考案の詳細な説明】
【技術分野】
【０００１】  本考案は、椅子の座部に敷く椅子用姿勢矯正補助マットの改良に関する。
特に、本考案は、使用者が長時間座っていても正しい姿勢を維持し、腰等への負担が軽減できて姿勢矯正に役立つ椅子用姿勢矯正補助マットの改良に関する。
【背景技術】
【０００２】  従来、事務用椅子や学習用椅子等に長時間座ると、腰椎の後わんが生じて猫背になる恐れがあり、このように猫背等の不良姿勢により腰痛、肩こり、内蔵圧迫、集中力の低下等に陥り易い。
また、椅子に座った場合に、上半身を垂直に保ち正しい姿勢を保つことは非常に困難であり、前屈みに机に持たれた姿勢を続行することになる。
その結果、背を曲げ腹部を圧迫し、腰部にも無理を来たし、目が書類に近づき過ぎたりして種々の身体的疲労、腰痛、肩こり、内蔵圧迫、集中力の低下等に陥り易い。【０００３】  これらの障害を避けるために、種々の椅子用補助マットが開発されている。
例えば、特許文献１には、執務姿勢矯正用座布団（マット）として、上面に適当な勾配（例えば５〜１０°）の傾斜角度を付けた稍々固めで適宜な弾力性のある芯材からなる、正しい姿勢を保ち且つ腰に負担のかからない椅子用補助マットが知られている。
特許文献２には、前後方向で５〜８度の傾斜を持つ弾力性、緩衝性の発泡ポリエチレン等の心材（この裏面に通気性の凹凸を設けても良い）の上面に高い張力を持つスポンジ等の緩衝材を貼着した、正しい姿勢を保ち且つ腰への負担が軽減可能な椅子用補助マットが知られている。【０００４】  特許文献３には、お尻の座り心地を良くするために、前下げ２度に傾斜させた椅子用クッションが知られている。
特許文献４には、座面を傾斜させ、且つ座面上の腰椎当接部に凸部を設けた、本体クッションと補助クッションとからなる角度調節可能な椅子用クッションが知られている。
特許文献５には、クッション表面側にソフトポリウレタン（フォーム）、裏側に反発力のある硬質ポリウレタン（フォーム）を積層した、座面を傾斜させた三角形状の椅子用クッションが知られている。
特許文献６には、１０度前後の傾斜を持ち、椅子の座面への固定手段（面ファスナー、ホック、ベルト、紐等）が設けられた発泡ポリウレタン（フォーム）や綿等のクッション層を設けた椅子用座布団が知られている。【０００５】
【特許文献１】  実開昭５８−１４５６２７号公報
【特許文献２】  実開平２−１２７２６７号公報
【特許文献３】  実開平４−２５１号公報
【特許文献４】  特開平１１−２３９５２６号公報
【特許文献５】  特開２００５−８７６８４号公報
【特許文献６】  特開平９−６５９５３号公報
【考案の開示】
【考案が解決しようとする課題】
【０００６】  上記のような種々の椅子用姿勢矯正補助マットが知られていたが、種々の点で不十分なものであった。
【課題を解決するための手段】
【０００７】  本考案者等は上記課題について種々検討した結果、（イ）座面を前方傾斜としたことにより、座骨と恥骨で骨盤を安定させ、脊椎を自然な湾曲に導き、（ロ）着座面に板材を用い、その上面に硬質プラスチックフォーム層を積層したことにより、座骨、恥骨を面でなく点で支えることができ、（ハ）椅子の接触面に軟質又は半硬質プラスチックフォーム裏面層を配置することにより様々な椅子にある若干のカーブにも密着し、座面に影響を与えす、安定した姿勢を維持できることを見出し本発明を完成した。【０００８】  即ち、本考案は；
（１）前後方向に８〜１５度の傾斜角度を付けた三角形状の、硬質プラスチックフォーム表面層３と板材中間層４と軟質又は半硬質プラスチックフォーム裏面層５’とから構成され、全体をカバーシート２でカバーした椅子用姿勢矯正補助マットを提供する（図１−（ロ））。また、
（２）該硬質プラスチックフォーム表面層３上に緩衝用の軟質又は半硬質プラスチックフォーム表面層５を設けた、（１）記載の椅子用姿勢矯正補助マットの点にも特徴を有する（図１−（ロ））。
（３）板材基部層４、硬質プラスチックフォーム中間層３、軟質又は半硬質プラスチックフォーム表面層５から構成され全体をカバーシート２でカバーした表層部品Ａと、軟質又は半硬質プラスチックフォーム（緩衝）裏面層５’上に板材層４’を設けて全体をシート２でカバーカバーした前後方向に一定の傾斜角度を付５た三角形状の基部部品Ｂとを接合してなり、併せて前後方向に８〜１５度の傾斜角度を付けた椅子用姿勢矯正補助マットを提供する（図２）。また、
（４）各種該プラスチックフォームの代わりに低反発プラスチックフォームを使用する点にも特徴を有する。また、
（５）該プラスチックフォームがポリウレタンフォームである点にも特徴を有する。
（６）該カバーシートがビニルシート、合成皮革又は本皮革、布地いずれかである点にも特徴を有する。【０００９】  本考案は。下記の実施の態様をも包含する。
（ｉ）表層部品Ａと基部部品Ｂとの接合が面ファスナー又は接着による、（３）記載の椅子用姿勢矯正補助マットの点にも特徴を有する（図１−（イ））。
（ｉｉ）該補助マット中の軟質又は半硬質プラスチックフォーム裏面層中に磁石粒を混入するする点に特徴を有する。また、
（ｉｉｉ）補助マットと座面との密着のために、補助マット裏面に面ファスナー、ホック、連結具付きベルト等を取付ける点に特徴を有する。
（ｉｖ）使用者と補助マットとの通気性を確保するために、カバーシートに凹凸又はシボを設ける点にも特徴を有する。
【考案の効果】
【００１０】  本考案の椅子用姿勢矯正補助マットを用いることにより、骨盤が立ち、左右の座骨が矯正され、骨盤が安定する。それによって、仙骨、腰椎、胸椎、頸椎の自然な生理的湾曲になる。
（１）腰痛や肩こりの予防、症状の緩和に役立つ。
（２）内蔵機能が活発になる。
（３）猫背の矯正と予防になる。
（４）猫背が矯正されると呼吸が楽になり、リンパや血行等の循環機能が改善され、代謝が上がる。
（５）座禅と同じような姿勢を維持できるので、副交感神経が優位になり、心が落ち着く。
（６）集中力が高まり、事務の仕事や学習の効率が上がる。
（７）椅子に座った状態で、座禅や瞑想の状態を効率良く高められる。
（８）骨盤が安定するので、脊椎の自然な湾曲が維持される。
【考案を実施するための最良の形態】
【００１１】  以下、図面について説明する。
図１−（イ）は、本考案の補助マットを示す斜視図であり、図１−（ロ）は、該補助マットが単独マットから構成される場合のＡ−Ａ’断面図である。
図２は、（イ）部品Ａと（ロ）部品Ｂとから構成される組マットを示す断面図である。
図３は、本考案の補助マットを敷いた椅子に着座した状態を示す側面図である。【００１２】  本考案を図面に基づいて詳細に説明する。
図１−（ロ）に示されるように、本考案に係る椅子用姿勢矯正補助マットは、基本的に、前後方向に８〜１５度の傾斜角度を付けた三角形状の、硬質プラスチックフォーム表面層３と板材中間層４と軟質又は半硬質プラスチックフォーム裏面層５’とから構成され、全体をシート２でカバーしたものである。【００１３】  （Ａ）座面の前方傾斜とする理由
（ａ）前後方向に８〜１５度の傾斜角度を付けた三角形状、即ち、前方傾斜状態であると、両方の座骨を地上水平面から平行に接触し、使用者の体重を利用して左右均等に上方に押し上げることにより、骨盤がより正しい状態に矯正される。
（ｂ）これを達成するためには、座骨に接触する面はより硬い方が好ましい。
従って、硬質プラスチックフォーム３を使用する理由がある。
硬質プラスチックフォーム３や軟質又は半硬質プラスチックフォーム又は低反発ポリウレタンフォーム５’だけの座布団で着座すると、圧力が臀部全体の広い面にかかり分散してしまう。【００１４】  （ｃ）従って、板４、４’の上に着座すると、両方の座骨に点で圧力がかかり、矯正が可能となる。
（ｄ）ただ、板だけであると痛みを生ずる可能性があるので、板４の上に１０ｍｍ程度の硬質又は半硬質プラスチックフォーム３を設け、更に硬質又は半硬質プラスチックフォームの凹凸面をカバーするために、１０ｍｍ程度の軟質プラスチックフォーム５を敷き、無理なく骨盤矯正を可能とする。
（ｅ）本来、長時間の同じ姿勢は身体に悪影響を与える。座位に関しても同様で、１０ｍｍ程度と厚みのある硬質プラスチックフォーム３や軟質又は半硬質プラスチックフォーム又は低反発ポリウレタンフォーム５、５’等で圧力を全体で受け止める構造で長時間座ることは、広い範囲の鬱血状態を作る。
（ｆ）従って、なるべく点で支え、且つ適度な姿勢に位置変更をすることが好ましい。
そのために、本考案に係る椅子用姿勢矯正補助マットは、着座面に座ることで使用者に若干の硬さを感じさせ、適度な姿勢変更を促す作用がある。【００１５】  （Ｂ）座席に接する下層に軟質又は半硬質プラスチックフォーム５’を設ける理由
（ａ）板と同じ程度の強度や剛性がある硬質プラスチックフォームであれば板面に敷く必要はなく、使用者に若干の硬さを感じさせ、適度な姿勢変更を促す作用があるが、学習用椅子、作業用椅子、家庭用椅子等の中には、着座面に多少の湾曲があるものがある。
（ｂ）いくら、硬質プラスチックフォームであっても、使用者の体重がかかれば、椅子の湾曲に沿った同じ湾曲が、座布団の硬質プラスチックフォームにも生じてしまう。そうなると、「両方の座骨が水平面から平行に接触し、使用者の体重を利用して左右均等に上方に押し上げることによって、骨盤がより正しい状態に矯正される」ことが不可能になる。
（ｃ）よって、上層部の板は、使用者の体重により下層部の軟質又は半硬質プラスチックフォーム５’に均等に力が加わるが、下層部の軟質又は半硬質プラスチックフォーム５’は、使用する椅子の湾曲を上手に吸収してくれる。
従って、どんな種類の椅子の着座面であっても、使用者の座骨は上層部の板４により左右均等に「点」での矯正が可能となる。【００１６】  （Ｃ）前面傾斜
（ａ）本考案の補助マットは、８〜１５度の前面傾斜角度を設けることが必要である。好ましくは９〜１４度、より好ましくは１０〜１２度である。
傾斜座面に使用者が着座すると、使用者の体重により下層の軟質プラスチックフォームが押し潰されるので、傾斜角度は例えば１５度〜１０度位に浅くなる。この傾斜角度が骨盤傾斜には好ましい角度となる。
１５度を超えると、座面から前方に滑り、腰椎の過剰前わんが生じて、却って腰痛等を引き起こしてしまう恐れがある。
８度以下であると、骨盤前方回転が生じ難く好ましくない。
（ｂ）使用者の体重により傾斜角度又は下層の軟質プラスチックフォームの強度を変えることもできる。
・体重１９ｋｇ以下では、傾斜角度は９〜１１度、柔らか目のフォーム
・体重２０〜４５ｋｇでは、傾斜角度は１３〜１６度、柔らか目のフォーム
・体重４６〜７５ｋｇでは、傾斜角度は１３〜１６度、上記より少し硬いフォーム
・体重７６ｋｇ以上では、傾斜角度は１３〜１６度、上記より更に硬いフォーム【００１７】  （Ｄ）構成素材層
（ｉ）板材
本考案に用いる板材層４、４’としては、代表的には木質板が硬度、強度等の点で望ましいが、それと同等の機能を有する板材、例えばアルミ合金板、プラスチック板等でも良い。
板材層の厚みとしては、図１−（ロ）の単独マットでは１０ｍｍ程度が望ましく、通常８〜１１ｍｍ、好ましくは９〜１０ｍｍである。
また、図２の部品Ａ，Ｂからなる組マットでは、夫々５．５ｍｍ程度で合計１１ｍｍ程度が好ましく、部品Ａ，Ｂの機能面から見て多少の厚みの変更が可能である。
従って、板材層の厚みとしては、通常８〜１２ｍｍ、好ましくは９〜１１ｍｍである。【００１８】  （ｉｉ）補助マットを構成する緩衝材について
補助マットを構成する緩衝材としては、その強度、弾発性、剛性等の要素を勘案して共通する材料は、プラスチックフォーム、代表的にはポリウレタンフォームであり、他にポリウレタンフォームと同等の機能を有するビニルフォームやラバー（エラストマー）フォーム等も包含する。
（ａ）硬質プラスチックフォーム
該硬質プラスチックフォームとして、代表的には硬質ポリウレタンフォームであり、該層３の厚みは、その機能から考えて単独又は合計で８〜１５ｍｍ、好ましくは９〜１３ｍｍ、より好ましくは９〜１１ｍｍである。
該層３の厚みが１５ｍｍを超えると座骨矯正の効果が薄れる恐れがあり、８ｍｍを下回ると着座時に若干の痛みを感じる可能性がある。【００１９】  （ｂ）軟質又は半硬質プラスチックフォーム
該軟質プラスチックフォームとしては、代表的には軟質又は半硬質ポリウレタンフォームであり、この層は硬質プラスチックフォームの凹凸を滑らかにする作用を有する。
該軟質又は半硬質プラスチックフォーム層５の厚みは、８〜１２ｍｍ、好ましくは９〜１１ｍｍであり、１０ｍｍ程度の厚みがあれば良い。
（ｃ）軟質又は半硬質プラスチックフォーム上層５’
該上層５’は、組マットの場合に上層に設けて硬質プラスチックフォームのクッション性を補う作用を有する。
該上層５’として、軟質プラスチックフォームの代わりに低反発性ポリウレタンフォームを使用しても良く、この場合には、硬質プラスチックフォームは必要がなく、低反発性ポリウレタンフォームのみの使用で１８〜２４ｍｍ、好ましくは１９〜２１ｍｍであり、通常２０ｍｍ程度がより好ましい。【００２０】  （Ｄ）その他
・表層部品Ａと基部部品Ｂとの接合を面ファスナー又は接着により接合しても良い。
表層部品Ａと基部部品Ｂとを一体にしてカバーシートで包むと、緩みが生じて不都合となるが、本考案のように両部品を別々にカバーシートで包んで後に、接合すると、全く緩みが生じない。
・カバーシートに帯電防止加工を施しても良く、これにより帯電による汚れ易さ、帯電によるくっつきも防止できる。
・デスクワークによる疲れを軽減するために、補助マット中の軟質又は半硬質プラスチックフォーム中に磁石粒を混入しても良い。
・補助マットと座面との密着のために、補助マット裏面に面ファスナー、ホック、連結具付きベルト等を取付けても良い。
・使用者と補助マットとの通気性を確保するために、カバーシートに凹凸又はシボ等を設けても良い。
【産業上の利用可能性】
【００２１】  本考案椅子用姿勢矯正補助マットは、使用者が長時間座っていても正しい姿勢を維持し、腰等への負担が軽減できて姿勢矯正に役立つ点で非常に有用な考案である。
【図面の簡単な説明】
【００２２】
【図１】−（イ）は、本考案の補助マットを示す斜視図であり、図１−（ロ）は、該補助マットが単独マットから構成される場合のＡ−Ａ’断面図である。
【図２】は、（イ）部品Ａと（ロ）部品Ｂとから構成される組マットを示す断面図である。
【図３】は、本考案の補助マットを敷いた椅子に着座した状態を示す側面図である。
【符号の説明】
【００２３】１  補助マット本体
２  カバーシート
３  硬質ポリウレタンフォーム
４、４’  板
５、５’  軟質プラスチックフォーム
１１  椅子
１２  人体
【図１】
0003123499.tif 000003
【図２】
0003123499.tif 000004
【図３】
0003123499.tif 000005